(57)【要約】【課題】出力を自在かつ任意に調整することが可能な電気治療及び／又は刺激装置の操作プログラム、携帯情報通信端末、および電気治療及び／又は刺激システムを提供すること。【解決手段】情報処理装置と、無線通信装置と、入力認識手段とを備えた携帯情報通信端末を介して操作される電気治療及び／又は刺激装置用のプログラムであって、入力認識手段により認識された入力情報に基づいて、前記電気治療及び／又は刺激器を制御するための制御情報を前記入力情報に基づいて生成する手段と、前記制御情報を前記無線通信手段に出力する手段とを前記情報処理装置に実行させるプログラムであり、前記入力情報に基づき、所定の周波数帯において、前記電気治療及び／又は刺激器が出力する周波数を変更する制御情報を生成する手段を備えることからなる。【選択図】図１
2019221050.tif 000002
【特許請求の範囲】
【請求項１】
情報処理装置と、無線通信装置と、入力認識手段とを備えた携帯情報通信端末を介して操作される電気治療及び／又は刺激装置用のプログラムであって、
入力認識手段により認識された入力情報に基づいて、前記電気治療及び／又は刺激器を制御するための制御情報を前記入力情報に基づいて生成する手段と、
前記制御情報を前記無線通信手段に出力する手段とを前記情報処理装置に実行させるプログラムであり、
前記入力情報に基づき、所定の周波数帯において、前記電気治療及び／又は刺激器が出力する周波数を変更する制御情報を生成する手段を備えることを特徴とするプログラム。
【請求項２】
前記入力情報に基づき、所定の周波数帯において、前記電気治療及び／又は刺激器が出力する電圧を変更する制御情報を生成する手段を備えることを特徴とする請求項１に記載のプログラム。
【請求項３】
前記入力情報に基づき、特定の疾患に対応された特定の周波数及び特定の電圧情報を、前記電気治療及び／又は刺激器に出力させる制御情報を生成する手段を含むことを特徴とする請求項２に記載のプログラム。
【請求項４】
低周波領域についてのみ出力する電圧を変更する制御情報を生成する手段を備えることを特徴とする請求項３に記載のプログラム。
【請求項５】
請求項１から４のいずれか一項に記載のプログラムを実行可能な携帯情報通信端末。
【請求項６】
請求項５に記載の携帯型電子情報端末から制御情報を受信する受信装置を有する電気治療及び／又は刺激装置。
【請求項７】
請求項５に記載の携帯型電子情報端末と、
請求項６に記載の電気治療及び／又は刺激装置とを有する電気治療及び／又は刺激システム。
【請求項８】
前記電気治療及び／又は刺激装置が、
前記電気治療及び／又は刺激器が出力する周波数の記録手段を備えておらず、
体の一部に装着される少なくとも一対の電極を備えていることを特徴とする、請求項５に記載の電気治療及び／又は刺激装置を含む電気治療及び／又は刺激システム。
【発明の詳細な説明】
【技術分野】
【０００１】
本発明は、電気治療及び／又は刺激装置の操作用のプログラム、携帯情報通信端末、および電気治療及び／又は刺激システムに関する。
【背景技術】
【０００２】
電気的に駆動される健康器具や治療器具に関して、例えば、低周波治療器具がよく知られている（たとえば、特許文献１等参照。）これらは、周波治療及び／又は刺激用の電気回路を内部に備えた機器であって、有線により接続された一対の治療用パッド及び入力端末を用いて、体の所望の位置に通電させるものである。このような電気治療及び／又は刺激装置は、治療内容を特定する所望の低周波パルスを出力する複数の制御情報が予め治療器の本体内に内蔵されている。ユーザは、本体内に記録されている治療及び／又は刺激内容から入力端末により選択して、特定の周波数及び電圧の出力を行う。【０００３】
従来の電気治療器によれば、治療及び／又は刺激内容等に応じて出力する低周波及び電圧が特定されているために、所望の周波数及び強度（電圧）を任意で自在に調整することができない。また、有線接続による多くの制限が存在する。
【先行技術文献】
【特許文献】
【０００４】
【特許文献１】特願平６−１１６７１４号公報
【発明の概要】
【発明が解決しようとする課題】
【０００５】
そこで、本発明は、出力を自在かつ任意に調整することが可能な電気治療及び／又は刺激装置の操作プログラム、携帯情報通信端末、および電気治療及び／又は刺激システムを提供することを目的とする。
【課題を解決するための手段】
【０００６】
上記課題を解決するため、本発明は、
情報処理装置と、無線通信装置と、入力認識手段とを備えた携帯情報通信端末を介して操作される電気治療及び／又は刺激装置用のプログラムであって、
入力認識手段により認識された入力情報に基づいて、前記電気治療及び／又は刺激器を制御するための制御情報を前記入力情報に基づいて生成する手段と、
前記制御情報を前記無線通信手段に出力する手段とを前記情報処理装置に実行させるプログラムであり、
前記入力情報に基づき、所定の周波数帯において、前記電気治療及び／又は刺激器が出力する周波数および好ましくは電圧を変更する制御情報を生成する手段を備えることからなる。【０００７】
また、前記入力情報に基づき、特定の疾患に対応された特定の周波数及び特定の電圧情報を、前記電気治療及び／又は刺激器に出力させる制御情報を生成する手段を含むことが好適である。
また、低周波領域について出力する電圧を変更する制御情報を生成する手段を備えることが好適である。【０００８】
さらに、本発明は、前記プログラムを有する携帯情報通信端末、前記携帯型電子情報端末から制御情報を受信する受信装置を有する電気治療及び／又は刺激装置、これらを備える電気治療及び／又は刺激システムからなる。
また、前記電気治療及び／又は刺激装置が、前記電気治療及び／又は刺激器が出力する周波数及び電力の記録手段を備えていない本体と、前記本体と接続され、体の一部に装着される少なくとも一対の電極を備えていることが好適である。
また、電気治療及び／又は刺激装置が２対以上の電極を備えており、互いに異なる周波数の電流を流すことが可能であることが好適である。【０００９】
本発明において、電気治療及び／又は刺激システムは、電気治療及び／又は刺激装置および携帯情報通信端末からなる。電気治療及び／又は刺激装置は、携帯型電子情報端末からの制御情報を受信する。より具体的には、電気治療及び／又は刺激装置は、電源装置、受信部、制御装置，一対の電極、を備える。電源装置は、好ましくはリチウムイオン電池やアルカリ電池など、各種電池を使用した電源として構成され、持ち運びに適した構成とされる。受信部は、ブルートゥース（登録商標）受信回路を備えており、携帯情報通信端末からの制御情報を無線にて受信することができる。制御装置は、制御用ＣＰＵ等、公知の制御構成を備えており携帯情報通信端末からの制御情報に従い、指示された周波数及び強度（電圧）にて出力指示を行う。一対の電極は、陽極及び陰極から構成され、有線にてユーザーの体の必要な場所に設置する。陽極及び陰極は、例えば、暴露線状として、ジャケット等の被覆生地中に埋め込み、胴体の一定範囲に電流を流す形態としても良い。この態様は胴体の一定面積に通電することが可能であるために、疾患治療に特に適している。また、体に粘着可能なパッド部材内に設け、パッドを使用して胴回りや足周りなど、体の所望の位置に装着できるように構成することができる。これら構成により、電気治療及び／又は刺激装置は、電極が体の少なくとも一部に装着されるように構成される。【００１０】
また、従来の電気治療及び／又は刺激装置と異なり、電気治療及び／又は刺激装置には出力する所定の周波数及び電力の記録手段及びこれに対応する制御手段は設けられていない。すなわち、対応する周波数及び／又は電圧テーブルやその記録装置及び／又は制御装置が設けられていない。したがって、電気治療及び／又は刺激装置は無線で受信した周波数及び強度で出力を行うのみであり、軽量及び／又は小型化された電気治療及び／又は刺激装置として構成され得る。【００１１】
携帯情報通信端末は、所謂スマートフォンなどであり、情報処理装置、記録装置、タッチパネル型表示部などを備えている。そして、入力操作、典型的にはタッチパネルに対するタッチ操作（テキスト入力、スライド動作など、タッチパネルに対するあらゆる入力操作を含む。以下同じ。）を介して、携帯情報通信端末に情報が入力される。携帯情報通信端末は、典型的には操作プログラムを記録装置にインストールして使用されるが、インターネットクラウド上に保持されたプログラムを実行する端末として使用されてもよい。したがって、本発明においては、操作プログラムは携帯情報通信端末を介して実行されればよく、必ずしも携帯情報通信端末の記録手段に記録されていることを要しない。【００１２】
携帯情報通信端末は、電気治療及び／又は刺激装置の操作端末として動作する。ユーザーは、入力操作、典型的にはタッチパネルに対するタッチ操作を行って、電気治療及び／又は刺激装置に対して指示を行う。操作プログラムは、タッチ操作を介して入力された指示を基に、制御信号を生成する。制御信号は、無線で送信され、電気治療及び／又は刺激装置は、制御信号を受信部により受信する。電気治療及び／又は刺激装置は、受信部により受信した制御信号に基づいて、指示された周波数及び電圧を印加する。制御信号は、入力指示を基に、必要であれば周波数及び電圧の出力制御形態を複数保持する記録テーブルをプログラムが参照することで生成され、記録された周波数及び電圧の出力制御形態から任意の出力制御形態を選択して、前記電極に対する特定の周波数及び電圧の印加が行われる。記録テーブルは、ROM、RAM、インターネット上のサーバー又はクラウド上など、各種の記録手段を使用できるが、電気治療及び／又は刺激装置内には保持されない。【００１３】
記録テーブルは、所定の疾患と、当該所定の疾患に対応した特定の周波数および好ましくは電圧を記録した疾患テーブルを少なくとも備える。所謂低周波治療や波動療法と呼ばれる治療方式においては、特定の疾患に対応した周波数が特定されていることから、当該出力に関しては特定の周波数および好ましくは電圧を出力するものである。なお、追加の実施手段として、パルス幅及び／又はパルス時間の変更機能や、所定の周波数幅におけるスイープ機能、所望の終了時刻を設定できるタイマー機能などを設けてもよい。強度に関しては電気治療及び／又は刺激装置側で調整する構成も採用することを制限しない。【００１４】
さらに、本発明は、低周波数帯（典型的には10Hz〜1kHz）、中周波数帯（典型的には1kHz〜10kHz）、高周波数帯（典型的には10kHz〜1000kHz）において出力制御が可能なように構成される。この構成において、特に低周波数帯においてのみ、出力電圧を変更するできる構成を採用することが好ましい。すなわち、制御信号は、低周波数帯の出力電力を任意（好ましくは１〜１６V）で変更可能に生成され、他の周波数帯では変更不可能とされる。さらに、携帯情報通信端末から入力された特定の周波数及び電圧（ユーザー選択出力）を記録テーブルに記録し、記録後に当該ユーザー選択出力を出力可能な入力部を携帯情報通信端末の表示画面に表示する手段を備えることが好ましい。【００１５】
ユーザーは、例えばタッチ操作によって、所定範囲内の電圧を任意に指定することができる。調節をより直感的かつ任意にするために、変更のための入力は、例えば、携帯情報通信端末の表示画面上に表されたスライドバー画像をスライドすることで実行される。より好ましくは、低周波数帯においては、周波数変更と電圧変更の入力を同一画面上で、同一デザイン画像により表示画面を構成する。【００１６】
さらに、本発明によれば、２種類の電流を用いて干渉波による治療及び／又は刺激を行い、この干渉波の周波数及び電圧を指定することも可能である。この場合、電気治療及び／又は刺激装置は２対以上の電極を備えている。電極は、パッドを使用する場合は、１パッド内に２つの電極を保持しても良いし、１パッド内には１つの電極のみとしても良い。また、追加の実施手段として、パルス幅及び／又はパルス時間の変更機能や、所定の周波数幅におけるスイープ機能、所望の終了時刻を設定できるタイマー機能などを設けてもよい。
【発明の効果】
【００１７】
本発明によれば、携帯情報通信端末を用いて、無線で電気治療及び／又は刺激装置を操作することを可能にしつつ、所望の治療及び／又は刺激出力を自在かつ任意に調整することが可能な操作プログラム、携帯情報通信端末、および電気治療及び／又は刺激システムを提供することができる。また、電気治療及び／又は刺激装置側に周波数及び電圧の記録手段が保持されていないために、電気治療及び／又は刺激装置を軽量化、小型化及び多様化することができ、より多くの情報処理を行うことが可能になる。
【図面の簡単な説明】
【００１８】
【図１】本発明の電気治療及び／又は刺激システムを示す概念図である。
【図２】メニュー画面を示す図である。
【図３】治療選択画面を示す図である。
【図４】低周波用の第１の操作画面を示す図である。
【図５】第２の操作画面を示す図である。
【図６】中周波用の第１の操作画面を示す図である。
【図７】干渉波用の第１の操作画面を示す図である。
【発明を実施するための形態】
【００１９】
図１を参照して、電気治療及び／又は刺激システム１の構成について説明する。
本発明において、電気治療及び／又は刺激システム１は、電気治療及び／又は刺激装置２および携帯情報通信端末３から構成されている。電気治療及び／又は刺激装置２は、携帯型電子情報端末３からの制御情報を受信する。
【００２０】
電気治療及び／又は刺激装置２は、電源装置４、受信部５、制御装置６，一対の電極７、を備える。電源装置４は、一例としてリチウムイオン単三電池４個を搭載して構成されており、電極へ１６Vまでの出力を可能にしている。１６Ｖまでとしたのは、これ以上の電圧の出力は体への負担が大きく強すぎると考えられるためであるが、実施形態によってはこれ以上の出力を可能にすることを否定するものではない。受信部５は、無線受信回路を備えており、携帯情報通信端末３からの制御情報を無線にて受信することができる。制御装置６は、制御用ＣＰＵ等、公知の制御構成を備えており携帯情報通信端末３からの制御情報に従い、指示された周波数及び電圧（強度）にて出力指示を行う。電気治療及び／又は刺激装置２はジャケット生地内にファスナーなどを介して取り外し可能に埋め込まれて構成されており、体に装着して使用される。電極７は、電線上の陽極８及び陰極９として一対から構成され、ジャケット生地内に埋め込まれているため、胴体の一定範囲に通電を行うことができ、特に疾患治癒に適した態様となっている。腹筋刺激などを目的とする場合は、電極をパッド内に設けて体の所望の位置に装着する態様など、他の態様を採用しても良い。表示部１０は、電源のＯＮ／ＯＦＦや出力状態など、所望の情報を表示するために設けられている。
【００２１】
図２は、携帯情報通信端末３の表示画面におけるメニュー画面を示している。メニュー上では、使い方ガイドの他、電解治療、低周波、中周波、高周波、干渉派、メモリーの選択を可能にしている。これら選択表示やこれ以後の画像遷移、バー表示等に関するプログラム動作は、公知のプログラム動作と同様である。また、メニュー表示の方法は、ボタンやアイコン状にするなど、デザイン的に公知の様々な手段を採用することが可能である。
【００２２】
メニュー画面へのタッチ入力により、電解治療が選択されると、図３の治療選択画面が表示される。治療選択画面においては、治療名の検索ボックス１１が設けられており、一部一致検索や、スクロール検索など公知の検索手段により検索及び選択が可能に構成されている。図２の例では、「ひぞう」と入力した場合を示している。「ひぞう」と入力されると、疾患名から「脾臓疾患」が候補として表示され、さらに次候補として「脾臓破裂」が案内表示されている。これら読み方から、疾患テーブルを参照して一部一致検索を行い、候補を表示することは、公知のプログラム手段と同様である。検索ボックスへの入力により対象疾患が表示されると、プログラムは実行ボタン１２を表示する。実行ボタン１２が入力されると、プログラムは、入力された疾患名を含む情報を基に、疾患テーブルを参照して、選択された疾患に特定の周波数及び電圧を選出して制御信号を生成する。制御信号は、無線で送信され、電気治療及び／又は刺激装置２は、制御信号を受信部５により受信する。制御装置６は、受信部５により受信した制御信号に基づいて、電極７を介して指示された周波数及び電圧を印加する。なお、画面下にある「ＴＯＰ」〜「干渉派」の表示は、画面遷移のための表示であり、当該表示に入力がされると、プログラムは画面遷移を行うとともに、電圧の印加を停止する。
【００２３】
メニュー画面のタッチ入力により、低周波が選択されると、図４に示される、低周波用の第１の操作画面が表示される。低周波帯においては、第１の操作画面に周波数のスライドバー１３及び電圧のスライドバー１４が設けられている。ユーザーは当該スライドバー１３、１４をタッチ入力（スライド移動）することにより、任意に周波数を１０〜１０００Hz範囲で、電圧を１〜１６V範囲で変更し、実行ボタン１２をタッチ入力することにより実行することができる。プログラムは、実行ボタン１２への入力を認識すると、スライドバー１３、１４へのタッチ操作を介して入力された情報を基に、対応する周波数値及び電圧値を算出して制御信号を生成する。制御信号は、無線で送信され、電気治療及び／又は刺激装置２は、制御信号を受信部５により受信する。制御装置６は、受信部５により受信した制御信号に基づいて、電極７を介して指示された周波数及び電圧を印加する。
【００２４】
実行ボタンが入力されると、図５に示される、第２の操作画面が表示される。第２の操作画面においては、実行される周波数値及び電圧値が標示部１５に標示されている。また、停止ボタン１６が設けられ、停止ボタン１６への入力が認識されると、プログラムは電圧の印加の停止信号を生成し、当該停止信号を電気治療及び／又は刺激装置２が実行することで印加が停止される。また、メモリーボタン１７が設けられ、メモリーボタン１７への入力が認識されると、プログラムは現在の周波数及び電圧を記録テーブルに保存する。記録された周波数及び電圧は、メニュー画面から「メモリー」を選択し、記録された周波数及び電圧を呼び出して実行することができる。したがって、ユーザーの好みの周波数及び電圧を、簡易に指定及び選択をすることが可能になる。また、再設定ボタン１８は、低周波用選択画面へ戻り、周波数及び電圧の変更を可能にする。
【００２５】
メニュー画面にて中周波選択されると、図６の中周波用の第１の操作画面が表示される。中周波帯においては、周波数のスライドバーが設けられており、電圧のスライドバーは設けられていない。ユーザーは当該スライドバー１９をタッチ入力（スライド移動）することにより、任意に周波数を１〜１０kHz範囲で変更し、実行ボタン１２をタッチ入力することにより実行することができる。電圧値は、中周波以上は刺激感が少ないことから、例えば１６Vで固定である。プログラムは、実行ボタン１２への入力を認識すると、スライドバーへのタッチ操作を介して入力された情報を基に、対応する周波数値及び電圧値を算出して制御信号を生成する。制御信号は、無線で送信され、電気治療及び／又は刺激装置２は、制御信号を受信部５により受信する。制御装置６は、受信部５により受信した制御信号に基づいて、電極７を介して指示された周波数及び電圧を印加する。実行ボタンが入力された後は、低周波の場合と同様に、第２の操作画面へ移り、停止、記録及び再設定を可能とする。また、メニュー画面にて高周波が選択された場合も、周波数（１０〜１０００kHz）の相違を除き、中周波と同様である。
【００２６】
さらに、電気治療及び／又は刺激装置２が２対の電極を備えており（図示せず）、かつメニュー画面にて干渉波が選択された場合、プログラムは図７の干渉派用の第１の操作画面を表示する。干渉派用操作画面においては、第１の周波数の入力ボックス２０、第２の周波数の入力ボックス２１、及び電圧の入力ボックス２２が設けられている。ユーザーはボックス２０、２１，２２に所望の値を入力することにより、２つの周波数を１０〜１０００kHz範囲で、電圧を１〜１６V範囲で選択することができる。このとき、周波数が低周波帯である場合にのみ、電圧の変更を可能にする。すなわち、周波数の入力ボックスの値がいずれかのボックスに検知されると、プログラムは、周波数帯が低周波帯か否かを確認し、少なくとも一方が低周波帯である場合には電圧の入力ボックスを有効にする。周波数及び電圧を選択後、実行ボタン１２をタッチ入力することにより、電気治療及び／又は刺激装置が備える２対の電極に対して、干渉派治療及び／又は刺激を実行することができる。その他は、第２の操作画面への遷移及び機能は上記と同様である。プログラムは、実行ボタン１２への入力が認識されると、入力された情報を基に、対応する周波数値及び電圧値を２対算出して制御信号を生成する。電圧を算出する際、低周波帯については電圧の入力ボックスで指定された値を、中周波以上の場合は、固定された電圧値（１６Ｖ）を生成する。制御信号は、無線で送信され、電気治療及び／又は刺激装置２は、制御信号を受信部５により受信する。制御装置６は、受信部５により受信した制御信号に基づいて、２対の電極７に対し、各々指定された２種の周波数及び電圧を印加する。図７では印加電圧を共通としているが、電圧も２種指定できる構成としても良い。
【００２７】
追加の実施手段として、例えばパルスモード（所定の時間でＯＮ／ＯＦＦを繰り返す形態）や、所定の周波数幅におけるスイープモードを設けること、例えば３０分単位で３時間迄のタイマー機能（終了後に電源をＯＦＦすることも含む）を設けてもよい。これら機能は、公知のプログラム構成により、上述のように操作画面上に入力ボックスやボタン及び／又はバー等を表示することで追加することできる。
【符号の説明】
【００２８】
１  電気治療及び／又は刺激システム
２  電気治療及び／又は刺激装置
３  携帯情報通信端末
４  電源装置
５  受信部
６  制御装置
７  電極
８  陽極
９  陰極
１０  表示部
１１  検索ボックス
１２  実行ボタン
１３、１４  スライドバー
１５  標示部
１６  停止ボタン
１７  メモリーボタン
１８  再設定ボタン
１９  スライドバー
２０〜２２  入力ボックス
【図１】
2019221050.tif 000003
【図２】
2019221050.tif 000004
【図３】
2019221050.tif 000005
【図４】
2019221050.tif 000006
【図５】
2019221050.tif 000007
【図６】
2019221050.tif 000008
【図７】
2019221050.tif 000009
【国際調査報告】
2019221050.tif 000010
2019221050.tif 000011
2019221050.tif 000012